(57)【要約】      （修正有）【課題】行先階の登録のほか、必要に応じて所持している携帯電話等に具備された２次元コードのリーダ端末を用いて、好みの階床情報、テナント情報等の量的にも多量の情報をほとんど瞬時に取得することができ、取得した情報を例えばエレベータの昇降中はもとより降りた後でも見て、それを利用することができる利便性が向上された行先階登録装置を得る。【解決手段】エレベータの行先階を登録するためのボタン機能を有する操作部５と、この操作部に付設された、情報をコード化した２次元コード５１ｃを表示し得る表示部５と、この表示部の表示を制御する表示制御部８と、上記表示部に表示するための入力された情報を格納するデータ格納部９とを備える。【選択図】図１
2006290543.tif 000002
【特許請求の範囲】
【請求項１】
エレベータの行先階を登録するためのボタン機能を有する操作部と、この操作部に付設された、情報をコード化した２次元コードを表示し得る表示部と、この表示部の表示を制御する表示制御部と、上記表示部に表示するための入力された情報を格納するデータ格納部とを備えてなることを特徴とする行先階登録装置。
【請求項２】
上記表示部は、タッチパネル式表示装置からなり、該タッチパネル式表示装置が上記ボタン機能を有する操作部を兼ねてなることを特徴とする請求項１に記載の行先階登録装置。
【請求項３】
上記表示部は、階床名を示す英数文字と、当該階床に固有の文字情報と、当該階床に対応したサービス情報をコード化した２次元コードとを各階床毎に横方向に並べて階床の順番に示す行先ボタンを表示してなることを特徴とする請求項２に記載の行先階登録装置。
【請求項４】
上記表示部は、上記エレベータが設置された当該ビル内外の一般サービス情報と、この一般サービス情報のコンテンツを充実化した２次元コードとを表示する一般サービス情報表示部を設けてなることを特徴とする請求項１ないし請求項３の何れかに記載の行先階登録装置。
【請求項５】
上記一般サービス情報表示部は、複数のサービス情報を所定時間毎に順次切り替えて表示するようにしてなることを特徴とする請求項４に記載の行先階登録装置。
【請求項６】
上記２次元コードの情報には、ＵＲＬ及び電話番号の少なくとも１つが含まれてなることを特徴とする請求項１ないし請求項５の何れかに記載の行先階登録装置。
【請求項７】
上記データ格納部は、ネットワークを介して更新可能にされてなることを特徴とする請求項１ないし請求項６の何れかに記載の行先階登録装置。
【発明の詳細な説明】
【技術分野】
【０００１】
この発明はエレベータの乗場、またはかご内に設けられる行先階登録装置に関し、さらに詳細には２次元コードを加えたサービス情報などの情報を提供する機能を備えた行先階登録装置に関する。
【背景技術】
【０００２】
従来のエレベータの乗場またはかご内に情報を表示する装置としては、画像、文字放送等の各種の表示データを表示する情報表示システムが知られている。このようなシステムは、各種の表示データの表示時期、表示時間等を設定したスケジュールデータに基づき、各種の表示データを切り替え、エレベータの利用者に様々な情報を提供する。例えば、予め作成した画像、文字等を表示することにより、エレベータの利用者の退屈さを紛らわしたり、エレベータが設置してあるビルのイベント情報を提供できるようにしたものがある（例えば特許文献１参照。）。
また、乗場ドアをスクリーンとし、乗場の天井部に設置されたプロジェクタ（投射器）によって乗場ドアにエレベータの運行情報などを映し出すことにより、乗場で待つ客に情報を伝えるようにしたものがある（例えば特許文献２参照。）。
【０００３】
【特許文献１】特開平９−３４４１７号公報（第１頁、図１）
【特許文献２】特開平９−２６３３６８号公報（第１頁、図１）
【発明の開示】
【発明が解決しようとする課題】
【０００４】
上記のような従来の情報を表示する装置では、（１）表示面積が限られるためにエレベータ使用者に充分な情報を与えることができない、（２）表示が時間により切換えられるので、見たい情報が見られない可能性がある、（３）スクロールしながらの表示では、見るタイミングによって途中からの情報が表示され、また、すべてを見終わらない内にエレベータを降りる場合もあるので、メッセージが中途半端になる、などの課題があった。
【０００５】
この発明は、上記のような従来技術の課題を解消するためになされたもので、エレベータの行先階の情報をＱＲコードなどの２次元コードで提供することにより、エレベータ利用者が必要に応じて各階床の案内情報を取得することができるエレベータの行先階登録装置を提供することを目的としている。
【課題を解決するための手段】
【０００６】
この発明によるエレベータの行先階登録装置は、エレベータの行先階を登録するためのボタン機能を有する操作部と、この操作部に付設された、情報をコード化した２次元コードを表示し得る表示部と、この表示部の表示を制御する表示制御部と、上記表示部に表示するための入力された情報を格納するデータ格納部とを備えることにより、上記課題を解決したものである。
【発明の効果】
【０００７】
この発明においては、行先階を登録するためのボタン機能を有する操作部に、各種情報をコード化した２次元コードを表示し得る表示部を付設するようにしたことにより、エレベータの利用者は、行先階の登録ができるのみならず、必要に応じて所持している携帯電話等に具備された２次元コードのリーダを用いて、例えば好みの階床情報、テナント情報等の量的にも多量の情報をほとんど瞬時に取得することができ、取得した情報を例えばエレベータの昇降中はもとより降りた後でもそれを見て利用することができるので、利便性が向上するという効果が得られる。
【発明を実施するための最良の形態】
【０００８】
実施の形態１．
図１〜図３はこの発明の実施の形態１による行先階登録装置を説明するもので、図１は全体構成を概念的に示す構成図、図２は動作例を示すフロー図、図３は２次元コードのリーダ端末に伝送された情報の内容を例示する表示画面図である。なお、各図を通じて同一符号は同一もしくは相当部分を示すものとする。図において、行先階登録装置１は、利用者の操作を入力するためのセンサ４及びドットマトリックスＬＣＤなどのディスプレイを用いた表示部５からなるタッチパネル式表示装置６と、センサ４を制御するセンサ制御部７と、表示部５に画像を表示する表示制御部８と、表示を行う画像を格納するデータ格納部９と、これらを制御するシステム制御部１０とを備えている。上記行先階登録装置１は、各乗場やかご内に一つ以上設置され（図１では１台のみ表示）、それぞれがエレベータ制御装置２と通信路３で接続されている。
【０００９】
上記表示部５は、エレベータの行先階を登録するためのボタン機能を有する操作部を兼ねており、かつドットマトリックス方式のディスプレイを用いていることにより、サービス情報などの各種情報をコード化したＱＲコードなどの２次元コードを表示することができる。この実施の形態１では、行先ボタン５１は、上記表示部５の中に、階床名を示す英数文字５１ａと、当該階床を代表する固有の文字情報５１ｂと、当該階床に対応したサービス情報をコード化した２次元コード５１ｃとを各階床毎に横方向に並べてそれぞれ長方形の枠で囲んだものを階床の順番に表示し、エレベータの利用者がタッチした枠の位置をセンサ４が検知することで行先階を認識させるボタン機能をもたせている。
【００１０】
上記データ格納部９は、例えばハードディスクドライブ、不揮発性メモリ、随時書き込み保持動作の必要なメモリなど公知の各種記憶装置や記憶素子を特別な制限なく用いることができる。システム制御部１０は、エレベータ制御装置２から送られるデータに基づいて、データ格納部９から表示する画像を読み込み、表示制御部８に送ることで表示部５に画像を表示する。行先階登録装置１は、行先ボタン５１の状態を通信路３を介してエレベータ制御装置２と通信する。エレベータ制御装置２は、行先階が登録されると、エレベータを制御すると共に、必要に応じて行先階登録装置１に登録された行先階を通知する。
【００１１】
次に、上記のように構成された実施の形態１の動作について図２に示すフローチャートを参照して説明する。行先階登録装置１は、図示しない電源をＯＮ操作し、またはリセット操作することにより動作を始める（ステップＳ１、起動）と、システム制御部１０は、エレベータ制御装置２からボタン情報を受信し（ステップＳ２、ボタン情報受信）、表示に必要な画像データをデータ格納部９から読み込み（ステップＳ３、表示データ読み込み）、表示部５に例えば図１に示すような行先ボタン５１の初期画面を表示し（ステップＳ４、初期画面表示）、エレベータ利用者の操作入力を受付可能なスタンバイ状態となる。
【００１２】
ステップＳ５で利用者の操作入力を受け付け（ステップＳ５、操作入力）、操作入力があれば、触れられた操作座標をシステム制御部１０に送り、システム制御部１０にて、利用者が選択した行先ボタンが何かを判定し、判定結果をシステム制御部１０からエレベータ制御装置２に送信し（ステップＳ６、操作情報送信）、表示の要否を判断し（ステップＳ７、表示要否）、表示更新の必要があれば、表示制御部にて表示部の表示を更新する（ステップＳ８、表示更新）。
【００１３】
例えば、図示しないかごが着床している階床と同一階の行先ボタン５１がタッチされた場合は、表示不要と判断し、その他の場合は表示要と判断してタッチされた行先ボタン５１の部分をその他の部分よりも例えば明るく表示させ、あるいは同時に表示色も変えるなどの方法で表示を更新させる。上記ステップＳ８で表示が更新されれば、ステップＳ２に戻り、エレベータ制御装置２からボタン情報の受信を行い（ステップＳ２、ボタン情報受信）、以降同様の動作を繰り返す。
【００１４】
上記図１に例示する初期画面、及び表示更新後の画面には、ＱＲコードなどの２次元コード５１ｃを含む行先ボタン５１の画像が表示されており、エレベータの利用者は、該２次元コード５１ｃを、例えば携帯電話などのリーダ端末１１（図３）などに具備された２次元コードのリーダ機能により、図２の利用者操作Ａ１、Ａ２に示すように、いつでも読み込み、利用者操作Ｂに示すように読み込んだ情報をいつでも表示させることができる。図３は、利用者の所持するリーダ端末１１の表示画面１１ａに、取得された７階レストランの階床情報を表示させた例を示すものである。７階に配置されているレストランの種類、名前、概要、ホームページにアクセスするためのＵＲＬ、電話番号等を表示している。なお、２次元コード５１ｃで表示する情報に関しては、例えば事前にビルのオーナー、テナント等から広く提供を受けることで、適宜にデータ格納部９に含めることができる。
【００１５】
上記のようにこの実施の形態１によれば、各種情報をコード化した２次元コード５１ｃを表示し得る表示部５をボタン機能を有する操作部と兼ねて該操作部に付設するようにしたことにより、エレベータの利用者は、表示部５に表示された行先ボタン５１の画像を元にセンサ４を操作して、行先階を登録することができるのみならず、表示部５に表示された２次元コード５１ｃを含む画像を、必要に応じて利用者が保有する携帯電話等のリーダを用いて読み込み、好みの階床情報、テナント情報等、量的にも多量の情報をほとんど瞬時に取得することができ、取得した情報を例えばエレベータの昇降中はもとより降りた後でも見て、それを利用することができるので、利便性が向上するという効果が得られる。また、エレベータ到着までの待ち時間に、あるいはエレベータ利用中に、取得した情報を読んだり、指定のＵＲＬにアクセスしてお店の情報を見ることができ、待ち時間のイライラを解消したり、かご内での手持ちぶさたに過ごす時間を解消することができる。
【００１６】
実施の形態２．
図４及び図５は、この発明の実施の形態２による行先階登録装置の要部を説明するもので、図４は表示部における表示例の説明図、図５は動作例を示すフロー図である。この実施の形態２は、上記実施の形態１における表示部５に、行先ボタン５１の他に、他の一般サービス情報を提供する２次元コード付の画像ファイルを、一定時間毎に切換えて表示するようにしたものである。図において、行先階登録装置１を構成する表示部５は、８つの行先ボタン５１とは別に、一般サービス情報表示部５２を描画し、該一般サービス情報表示部５２には、この例では「バス時刻表」５２Ａ、「電車時刻表」５２Ｂ、「バーゲン情報」５２Ｃからなる切替え用画像３枚が用意され、指定時間（例えば、５秒）が経過すると、指定した画像（５２Ａ、５２Ｂ、５２Ｃ）を順番にサイクリックに表示するものである。
【００１７】
上記一般サービス情報表示部５２は、情報のタイトルを表示するタイトル表示部５２ａと、当該タイトルの内容情報を２次元コード化して表示する２次元コード表示部５２ｂから構成され、２次元コード表示部５２ｂは行先階登録ボタン５１における２次元コード５１ｃの表示位置と横方向に同じ位置に配設され、縦方向に１列に並ぶように構成されている。その他の構成は上記実施の形態１と同様であるので説明を省略し、以下図１の構成図も参照して説明する。
【００１８】
次に上記のように構成された実施の形態２における一般サービス情報表示部５２の表示動作について、図５のフロー図を参照して説明する。行先階登録装置１は、電源ＯＮ、または、リセットにより動作を始める（ステップＳ１１、起動）と、図２で説明した手順と同様のフローで行先階登録ボタン５１の画像の表示を行う。システム制御部１０は、データ格納部９よりユーザ設定ファイルの読み込みを行い、表示切替えを行う画像の枚数、表示するファイル名、表示時間の取得を行う（ステップＳ１３）。システム制御部１０は、最初の表示に必要なデータをデータ格納部９から読み込みを行い（ステップＳ１４、表示画像読み込み）、表示部５の一般サービス情報表示部５２に情報画面を表示する（ステップＳ１５、情報画面表示）。
【００１９】
次に、指定時間の判定を行い（ステップＳ１５、指定時間経過）、指定時間が経過すると、その次に指定された表示画像の読み込みを行い（ステップＳ１６、次の表示画像読み込み）、表示の更新を行う（ステップＳ１７、表示更新）。なお、行先登録の動作については、上記実施の形態１と全く同様であるので説明を省略する。
【００２０】
上記のように構成された実施の形態２においては、エレベータに乗降中の例えばバスの時刻表を参照したい利用客は、一般サービス情報表示部５２に「バス時刻表」５２Ａが表示されている時に、手持ちの携帯電話等のリーダ端末により「バス時刻表」５２Ａに表示された２次元コードを読み込むことで、２次元コードが復号化され、必要な情報を容易に取得することができる。なお、２次元コードで表示する情報としては、上記のほか建物の休館情報、イベント情報、バーゲンセールの案内、あるいは政治、経済、社会、スポーツなどあらゆる分野のホットニュースなどといった様々な情報を提供することができる。
【００２１】
実施の形態３．
図６はこの発明の実施の形態３による行先階登録装置の要部を概念的に示す構成図である。図において、行先階登録装置１は、図１に示す実施の形態１記載の構成に加えて、外部から表示に使う画像ファイルなどのデータを入力するためのデータ入力装置１２とネットワーク１３で接続され、データ入力装置１２からのデータを受信するためのデータ受信部１４が付加されている。その他の構成は上記実施の形態１と同様であるので説明を省略する。
【００２２】
上記のように構成された実施の形態３においては、行先階登録装置１は、データ入力装置１２から表示に使う画像ファイルをネットワーク１３を介して通信する。データ受信部１４は、受け取った画像ファイルをデータ格納部９に保存する。また、画像ファイル受信後に、再読み込み指令の受信を行う。データ受信部１４は、システム制御部１０に対してデータ格納部９から表示に必要な画像の読み込みを最初からやり直すよう指示を出す。システム制御部１０は新しい画像ファイルの読み込みを行い、行先ボタン５１の再表示を行う。
【００２３】
このように、２次元コード付の画像ファイルを、ネットワーク１３を介して、更新することができるように構成したことにより、エレベータを止めることなく、２次元コードで提供する情報の更新を行うことができ、エレベータ管理者が容易に表示内容をメンテナンスすることができる。なお、データ入力装置１２は、例えばパソコンなどの端末を用い、該パソコンの入力装置で文字情報を入力すると共に、必要な文字情報を２次元コード化し、表示部５に表示する画像ファイルを生成するように構成してもよい。
【００２４】
ところで、上記実施の形態１〜３では、行先階を指定するための行き先ボタン５１を、タッチパネル式表示装置６を用いて構成し、ボタン機能を有する操作部と２次元コード５１ｃによる情報の表示とを兼用するようにしたが、必ずしもこれに限定されるものではない。例えば、行き先ボタン自体はプッシュ式の従来公知のボタン列からなる操作部とし、その操作部のすぐ横に一般的なドットマトリックス式ＬＣＤなどのディスプレイを一体的に付設して、該ディスプレイに階床毎の文字や絵記号などによる文字情報５１ｂ、及び２次元コード５１ｃによる細部にわたるサービス情報を表示するなどの方法によって構成してボタン機能を有する操作部を分けてもよい（図示省略）。
【００２５】
また、表示部５の表示内容は、かご内に設けるものについて説明したが、乗場に設けられる行先階が上方階、または下方階のみを登録する行先階登録装置であっても同様に構成され、同様の効果が得られることは言うまでもない。また、上記行先階登録装置１を各乗場やかご内に一つ以上設置した例について示したが、例えば操作部を兼ねるタッチパネル式表示装置６のみを各乗場やかごに設け、センサ制御部７、表示制御部８、データ格納部９、システム制御部１０などを１台で集中制御するように構成してもよい。その他、表示部５の表示のデザイン、２次元コード５１ｃの表示数など、この発明の精神の範囲内で種々の変形や変更が可能であることは当然である。
【図面の簡単な説明】
【００２６】
【図１】この発明の実施の形態１による行先階登録装置の全体構成を概念的に示す構成図である。
【図２】図１に示す行先階登録装置の動作例を示すフロー図である。
【図３】図１に示す行先階登録装置に表示された２次元コードのリーダ端末に伝送された情報の内容を例示する表示画面図である。
【図４】この発明の実施の形態２による行先階登録装置の要部である表示部における表示例の説明図である。
【図５】図４に示す行先階登録装置の動作例を示すフロー図である。
【図６】この発明の実施の形態３による行先階登録装置の要部を概念的に示す構成図である。
【符号の説明】
【００２７】
１  行先階登録装置、  ２  エレベータ制御装置、  ３  通信路、  ４  センサ、  ５  表示部（兼操作部）、  ６  タッチパネル式表示装置、  ７  センサ制御部、  ８  表示制御部、  ９  データ格納部、  １０  システム制御部、  １１  リーダ端末、  １１ａ  表示画面、  １２  データ入力装置、  １３  ネットワーク、  １４  データ受信部、  ５１  行先ボタン、  ５１ａ  英数文字、  ５１ｂ  文字情報、  ５１ｃ  ２次元コード、  ５２  一般サービス情報表示部、  ５２Ａ  「バス時刻表」、  ５２Ｂ  「電車時刻表」、  ５２Ｃ  「バーゲン情報」、  ５２ａ  タイトル表示部、  ５２ｂ  ２次元コード表示部。
【図１】
2006290543.tif 000003
【図２】
2006290543.tif 000004
【図３】
2006290543.tif 000005
【図４】
2006290543.tif 000006
【図５】
2006290543.tif 000007
【図６】
2006290543.tif 000008